(57)【要約】【課題】印刷装置が移動されて設置場所が変更になったとき、印刷装置が移動されて設置場所が変更になったことを検出して、印刷データに基づく文字や画像を記録媒体に形成しないようにすることができないという課題がある。【解決手段】文字や画像を記録媒体に形成する印刷装置であって、印刷データに基づいた文字や画像を記録媒体に形成する画像形成部と、前記印刷装置の加速度を検出する加速度検出部と、前記加速度検出部が検出した加速度に基づいて、前記印刷装置が移動したか否かを判定する移動判定部と、電力を供給する蓄電部３４と、を備え、前記画像形成部は、前記移動判定部によって、前記印刷装置が移動したと判定されたときは、前記記録媒体に前記印刷データに基づく文字や画像を形成しない画像形成装置を提供する。【選択図】図３
2009131984.tif 000002
【特許請求の範囲】
【請求項１】
文字や画像を記録媒体に形成する印刷装置であって、
印刷データに基づいた文字や画像を記録媒体に形成する画像形成部と、
前記印刷装置の加速度を検出する加速度検出部と、
前記加速度検出部が検出した前記加速度に基づいて、前記印刷装置が移動したか否かを判定する移動判定部と、
電力を供給する蓄電部と、を備え、
前記画像形成部は、前記移動判定部によって、前記印刷装置が移動したと判定されたときは、前記記録媒体に前記印刷データに基づく文字や画像を形成しないことを特徴とする印刷装置。
【請求項２】
請求項１に記載の印刷装置であって、
前記移動判定部は、前記加速度検出部が検出した加速度について、所定の加速度以上である時間が、所定の時間を超えたときに前記印刷装置が移動したと判定することを特徴とする印刷装置。
【請求項３】
請求項２に記載の印刷装置であって、
前記移動判定部は、一定時間を超える加速度検知が所定の回数を超えたときに、前記印刷装置が移動したと判定することを特徴とする印刷装置。
【請求項４】
請求項１から請求項３までのいずれか一項に記載の印刷装置であって、
前記印刷装置を識別する識別子を記憶する識別子記憶部を備え、
前記識別子が特定されたことによって、前記印刷データを受信することを特徴とする印刷装置。
【請求項５】
請求項１から請求項４までのいずれか一項に記載の印刷装置であって、
前記加速度検出部に、更に、サブＣＰＵを備えたことを特徴とする印刷装置。
【請求項６】
請求項１から請求項５までのいずれか一項に記載の印刷装置であって、
前記画像形成部は、前記移動判定部によって、前記印刷装置が移動したと判定されたときは、前記記録媒体にメッセージを印字することを特徴とする印刷装置。
【請求項７】
請求項１から請求項６までのいずれか一項に記載の印刷装置であって、
前記印刷装置は、メッセージを出力する表示部を備え、
前記移動判定部によって、前記印刷装置が移動したと判定されたときは、前記画像形成部は、前記表示部にメッセージの出力指示を行うことを特徴とする印刷装置。
【請求項８】
文字や画像を記録媒体に形成する印刷装置であって、
印刷データに基づいた文字や画像を記録媒体に形成する画像形成工程と、
前記印刷装置の加速度を検出する加速度検出工程と、
前記加速度検出工程が検出した前記加速度に基づいて、前記印刷装置が移動したか否かを判定する移動判定工程と、
電力を供給する蓄電工程と、を備え、
前記画像形成工程は、前記移動判定工程によって、前記印刷装置が移動したと判定されたときは、前記記録媒体に前記印刷データに基づく文字や画像を形成しないことを特徴とする印刷方法。
【発明の詳細な説明】
【技術分野】
【０００１】
本発明は、印刷装置および印刷方法に関する。
【背景技術】
【０００２】
ネットワークに接続された複数の印刷装置の中から、印刷装置を指定し、指定した印刷装置に印刷データを送付して文字や画像を形成することが行われる。これは、指定した印刷装置が設置された場所で文字や画像を形成することで、文字や画像の情報を利用する対象者を意図的に限定するために行われる場合がある。
このような目的で印刷装置を使用しているとき、これまで設置されていた場所から、他の部屋などの設置場所に、印刷装置を移動した場合には、その印刷装置によって形成された文字や画像が、意図的に限定した対象者に提供されずに、利用すべきでない者に提供されてしまう場合がある。例えば、病院において、ある診療科目の看護師の詰め所に置かれた印刷装置を他の診療科目の詰め所に移動すると、意図した診療科目の詰め所に居る看護師を対象として利用すべき治療内容の文書が、意図しない診療科目の詰め所にいる看護師を対象として出力されてしまう。
そこで、印刷装置に加速度センサを備え、印刷装置が移動したことを検知する方法が考えられる。例えば、特許文献１では、医療用機器に加速度センサを備え、医療用機器に衝撃が加わったことを加速度センサによって検知し、その医療用機器の動作を停止させる方法が提示されている。
【０００３】
【特許文献１】特開２０００−１８９４４０号公報
【発明の開示】
【発明が解決しようとする課題】
【０００４】
しかしながら、特許文献１の方法では、衝撃の大きさを検知し、所定の加速度が許容値を上回った場合に機器の動作を停止させるので、印刷装置が移動するときの小さな振動を検知することができない。また、所定の加速度の許容値を下げて、小さな振動を検知するようにすると、同じ設置場所で印刷装置を少し移動させただけで、小さな振動を検知し、画像を形成しなくなってしまう。
このように、印刷装置が移動されて設置場所が変更になったとき、印刷装置が移動されて設置場所が変更になったことを検出して、印刷データに基づく文字や画像を記録媒体に形成しないようにすることができないという課題がある。
【課題を解決するための手段】
【０００５】
［適用例１］文字や画像を記録媒体に形成する印刷装置であって、印刷データに基づいた文字や画像を記録媒体に形成する画像形成部と、前記印刷装置の加速度を検出する加速度検出部と、前記加速度検出部が検出した加速度に基づいて、前記印刷装置が移動したか否かを判定する移動判定部と、電力を供給する蓄電部と、を備え、前記画像形成部は、前記移動判定部によって、前記印刷装置が移動したと判定されたときは、前記記録媒体に前記印刷データに基づく文字や画像を形成しないことを特徴とする印刷装置。
【０００６】
この構成によれば、印刷装置の加速度を検出する加速度検出部と、電力を供給する蓄電部とを備えるので、印刷装置の電源が入っていないときにも電力が供給され、印刷装置の加速度を検出することができる。また、加速度検出部が検出した加速度に基づいて、印刷装置が移動したか否かを判定する移動判定部を備えているので、画像形成部は、移動判定部によって、印刷装置が移動したと判定されたときは、記録媒体に前記印刷データに基づく文字や画像を形成しない。従って、印刷装置が移動されて設置場所が変更になったとき、印刷装置が移動されて設置場所が変更になったことを検出して、印刷データに基づく文字や画像を記録媒体に形成しないようにすることが可能となる。
【０００７】
［適用例２］前記移動判定部は、前記加速度検出部が検出した加速度について、所定の加速度以上である時間が、所定の時間を超えたときに前記印刷装置が移動したと判定することを特徴とする上記印刷装置。
この構成によれば、印刷装置が移動されたことを検知することができる。
【０００８】
［適用例３］前記移動判定部は、一定時間を超える加速度検知が所定の回数を超えたときに、前記印刷装置が移動したと判定することを特徴とする上記印刷装置。
この構成によれば、印刷装置が移動されたことを検知する検出精度が向上する。
【０００９】
［適用例４］前記印刷装置を識別する識別子を記憶する識別子記憶部を備え、前記識別子が特定されたことによって、前記印刷データを受信することを特徴とする上記印刷装置。
この構成によれば、ネットワークに接続された印刷装置が移動されて、設置場所が変更されたとき、識別子によって特定された印刷装置によって、意図しない設置場所で、文字や画像が形成されることを防止できる。
【００１０】
［適用例５］前記加速度検出部に、更に、サブＣＰＵを備えたことを特徴とする上記印刷装置。
この構成によれば、メインＣＰＵに電力を供給せずに、サブＣＰＵに電力を供給することができる。その結果、メインＣＰＵが使用する電力消費量を抑制できる。
【００１１】
［適用例６］前記画像形成部は、前記移動判定部によって、前記印刷装置が移動したと判定されたときは、前記記録媒体にメッセージを印字することを特徴とする上記印刷装置。
この構成によれば、印刷装置が移動したことを使用者に通知することができる。
【００１２】
［適用例７］前記印刷装置は、メッセージを出力する表示部を備え、前記移動判定部によって、前記印刷装置が移動したと判定されたときは、前記画像形成部は、前記表示部にメッセージの出力指示を行うことを特徴とする上記印刷装置。
この構成によれば、印刷装置が移動したことを使用者に通知することができる。
【００１３】
［適用例８］文字や画像を記録媒体に形成する印刷装置であって、印刷データに基づいた文字や画像を記録媒体に形成する画像形成工程と、前記印刷装置の加速度を検出する加速度検出工程と、前記加速度検出工程が検出した前記加速度に基づいて、前記印刷装置が移動したか否かを判定する移動判定工程と、電力を供給する蓄電工程と、を備え、前記画像形成工程は、前記移動判定工程によって、前記印刷装置が移動したと判定されたときは、前記記録媒体に前記印刷データに基づく文字や画像を形成しないことを特徴とする印刷方法。
【発明を実施するための最良の形態】
【００１４】
以下図を用いて実施例について説明する。
＜第１実施例＞
第１実施例では、加速度検出部を備えた印刷装置について説明する。図１は、本実施例における印刷装置としてのインクジェットプリンタ１の外観斜視図である。紙送りモータ９によって、記録媒体としての用紙Ｓが、プラテン１０に沿って図面手前側に搬送される。キャリッジ駆動モータ８によって、タイミングベルト４が回転される。タイミングベルト４に固定されたキャリッジ１１は、キャリッジ駆動モータ８の回転方向を切り替えることによって、筐体２に固定されたガイド軸３に沿って、図面左右方向に移動する。キャリッジ１１には、イエロー、マゼンタ、シアンのインクがそれぞれ充填されたカラーインクカートリッジ６と、モノクロインクが充填されたモノクロインクカートリッジ７が搭載されている。
【００１５】
キャリッジ１１の用紙Ｓ側には、ヘッド（不図示）が備えられ、カラーインクカートリッジ６と、モノクロインクカートリッジ７とからインクが供給される。ヘッドを駆動するヘッド駆動回路が搭載された回路基板（不図示）とヘッドとはフレキシブルケーブル５によって、接続されている。
【００１６】
ヘッド駆動回路によって、ヘッドからインクを噴射させることができる。インクジェットプリンタ１は、キャリッジをガイド軸３に沿って移動させる主走査と、用紙Ｓを搬送方向に移動させる副走査とを繰り返し、ヘッドからインクを噴射して、用紙Ｓに画像を形成することができる。
【００１７】
図２は、ネットワークに接続されたコンピュータとインクジェットプリンタを示す図である。実線の円で示すイントラネットとしてのネットワークＡには、コンピュータ１００，１０１，１０２と、その他図示しない複数のコンピュータおよびインクジェットプリンタ１，１ａ，１ｂと、その他図示しない複数のインクジェットプリンタが接続されている。それぞれのコンピュータやインクジェットプリンタは、識別子としてのＩＰ（ＩｎｔｅｒｎｅｔＰｒｏｔｏｃｏｌ）アドレスを有する。それぞれのコンピュータから、ＩＰアドレスを指定することによって、指定したインクジェットプリンタに印刷データを送付し、画像を形成することができる。
【００１８】
インクジェットプリンタ１は、破線の円で示す設置場所２００に設置され、同様に、インクジェットプリンタ１ａ、１ｂは、設置場所２０１、２０２にそれぞれ設置される。ＩＰアドレスを指定すると、指定したＩＰアドレスを有するインクジェットプリンタによって画像を形成する設置場所を選択することができる。
【００１９】
図３は、インクジェットプリンタ１の電気的な構成を示すブロック図である。インクジェットプリンタ１は、プリンタコントローラ２４と、プリントエンジン３１と、加速度検出部３５と、蓄電部３４とで概略構成されている。
【００２０】
プリンタコントローラ２４は、ネットワークＡから送信される文字情報を含む印刷データを受信する外部インターフェース（Ｉ／Ｆ）２８と、各種データなどを記憶するＲＡＭ２０と、各種データ処理のための制御用プログラムなどを記憶したＲＯＭ２１と、データの書き換えが可能で電源を落としても記憶が保持されるフラッシュメモリ２２と、ＣＰＵなどからなる制御部２７と、発振回路２３と、ヘッド３０へ供給する駆動信号を発生させる駆動信号発生回路２６と、印刷データをドットごとに展開することで得られた印字データや駆動信号などをプリントエンジン３１に出力するための内部インターフェース（Ｉ／Ｆ）２５とを備えている。
【００２１】
本実施例の識別子記憶部を構成するフラッシュメモリ２２には、インクジェットプリンタ１を識別する識別子を記憶する領域が確保されており、識別子としてのコードが記憶されている。
【００２２】
また、フラッシュメモリ２２には、移動フラグの領域が設けられる。インクジェットプリンタ１には、移動フラグを初期化する操作ボタン（不図示）が備えられ、操作ボタンを押すことによって、移動フラグの設定をＯＦＦにして初期化することができる。
【００２３】
プリントエンジン３１は、ヘッド３０、キャリッジ移動部３２、搬送部３３とから構成される。キャリッジ移動部３２は、キャリッジ駆動モータ８、タイミングベルト４、リニアエンコーダなどから構成され、プリンタコントローラ２４からの制御によってキャリッジ１１を主走査方向に移動させる主走査を行う。搬送部３３は、紙送りモータ９、給紙ローラー（不図示）、排紙ローラー（不図示）、従動ローラー（不図示）、ロータリーエンコーダ（不図示）などから構成され、プリンタコントローラ２４からの制御によって用紙Ｓを副走査方向に移動させる副走査を行う。プリントエンジン３１は、キャリッジ移動部３２による主走査と、搬送部３３による副走査を繰り返しながら、ヘッド３０からインクを噴射させて、用紙Ｓに画像を形成する。
【００２４】
本実施例における画像形成部は、プリンタコントローラ２４、プリントエンジン３１によって構成される。
【００２５】
加速度検出部３５は、圧電素子からなる加速度センサによって構成される。加速度検出部３５は、インクジェットプリンタ１が移動されたときの加速度を検出することができる。
【００２６】
蓄電部３４は、バッテリー回路から構成される。インクジェットプリンタ１の主電源は、交流電源に接続されたコンセント（不図示）に、使用者がプラグ（不図示）を挿入することによって電力が得られる。インクジェットプリンタ１を移動するため、使用者がコンセントからプラグを抜き、主電源が入っていないとき、蓄電部３４は、加速度検出部３５、制御部２７、ＲＡＭ２０、ＲＯＭ２１、フラッシュメモリ２２の電源として機能することができる。
【００２７】
本実施例における移動判定部は、発振回路２３を用いて時間を計測することができる。移動判定部は、加速度検出部３５が検出した加速度が所定の加速度以上になったときから、所定の加速度以下になったときまでの時間を計測することができる。
【００２８】
移動判定部は、検出した加速度が所定の加速度以上になったときから、所定の加速度以下になったときまでの時間が、所定の時間を超えたときは、インクジェットプリンタ１が移動されたと判定する。例えば、所定の加速度が０．５Ｇとし、所定の時間が１０秒とし、０．５Ｇ以上の加速度が継続された時間が１０秒を超えたときは、インクジェットプリンタ１が移動されたと判定する。
【００２９】
移動判定部は、制御部２７、ＲＡＭ２０、ＲＯＭ２１、フラッシュメモリ２２、発振回路２３によって構成され、ＲＯＭ２１に格納されたプログラムをＲＡＭ２０に読み出し、発振回路２３からの出力情報と、フラッシュメモリ２２に格納した各種パラメータを用いて、制御部２７がプログラムを実行することにより機能する。
【００３０】
次に、移動判定部によって、インクジェットプリンタ１が移動したか否かを判定する処理の方法について説明する。図４は、本実施例におけるインクジェットプリンタ１が移動したことを検出する処理のフローチャートである。図４のフローチャートで処理されるプログラムは、蓄電部３４によって電力が供給されるので、主電源が入っていないときも実行され、インクジェットプリンタ１が移動されたか否かを検出する。
【００３１】
ステップＳ４０では、移動判定部は、加速度検出部３５の加速度センサによって検出された加速度が所定の加速度以上になったときに時間の計測を開始する。ステップＳ４１では、移動判定部は、加速度センサによって検出された加速度が所定の加速度以下になったときに時間の計測を停止する。
【００３２】
ステップＳ４２では、移動判定部は、加速度が所定の加速度以上の時間が所定の時間を超えたか否かを判定する。加速度が所定の加速度以上の時間が所定の時間を超えたときは（Ｙｅｓ）、インクジェットプリンタ１は移動されたと判定しステップＳ４７に進む。加速度が所定の加速度以上の時間が所定の時間を超えなかったときは（Ｎｏ）、インクジェットプリンタ１は移動されなかったと判定しステップＳ４０に戻る。
【００３３】
ステップＳ４７では、フラッシュメモリ２２の領域に設けられた移動フラグをＯＮに設定し、処理を終了する。
【００３４】
次に、上記の移動フラグの設定状態によって、画像形成部が、画像を形成するか否かを制御する処理方法について説明する。図５は、移動フラグの設定状態によって、画像形成部が、画像を形成するか否かを制御する処理のフローチャートである。図５のフローチャートに従って処理されるプログラムは、ネットワークＡから受信した印刷データに基づいて、用紙Ｓに画像を形成するときに起動される。
【００３５】
ステップＳ５０では、移動フラグがＯＮであるか否かを判定する。移動フラグがＯＮであるときは（Ｙｅｓ）、ステップＳ５２に進み、移動フラグがＯＦＦであるときは（Ｎｏ）、ステップＳ５１に進む。ステップＳ５２では、制御部２７は、ネットワークＡから受信した印刷データに基づく文字や画像を形成するための制御を停止する。ステップＳ５３では、ネットワークＡから受信した印刷データに基づく文字や画像を形成するための制御を停止したことを示す文字の情報を、メッセージとして用紙Ｓに印字する。
【００３６】
ステップＳ５１では、制御部２７は、ネットワークＡから受信した印刷データに基づく文字や画像を形成するための制御を実行し、処理を終了する。
【００３７】
次に、移動フラグをＯＦＦにして初期化する処理方法について説明する。インクジェットプリンタ１に備えられた移動フラグ初期化用操作ボタンを使用者が押すことによって、図４のフローチャートに示すプログラムが起動され、移動フラグをＯＮの設定状態からＯＦＦの設定状態にして、移動フラグを初期化することができる。
【００３８】
図６は、移動フラグをＯＦＦにして初期化する処理のフローチャートである。ステップＳ６０では、移動フラグ初期化用操作ボタンが押されていた時間が所定の時間（例えば、３秒間）を超えたか否かを判定する。所定の時間を超えないときは（Ｎｏ）、ステップＳ６０を再び実行する。所定の時間を超えたときは（Ｙｅｓ）、ステップＳ６１に進む。ステップＳ６１では、フラッシュメモリ２２の移動フラグをＯＦＦに設定して初期化する。
【００３９】
以上説明したように、本実施例のインクジェットプリンタ１は、印刷データに基づいた文字や画像を記録媒体としての用紙Ｓに形成する画像形成部と、印刷装置としてのインクジェットプリンタ１の加速度を検出する加速度検出部としての加速度センサと、加速度センサが検出した結果に基づいて、インクジェットプリンタ１が移動したか否かを判定する移動判定部と、加速度センサに電力を供給する蓄電部としてのバッテリー回路と、を備え、インクジェットプリンタ１は、移動判定部によって、インクジェットプリンタ１が移動したと判定されたときは、用紙Ｓに印刷データに基づく画像を形成しない。
【００４０】
この構成によれば、印刷装置としてのインクジェットプリンタ１の加速度を検出する加速度検出部と、電力を供給する蓄電部３４とを備えるので、インクジェットプリンタ１を移動するため、使用者がコンセントからプラグを抜き、インクジェットプリンタ１の主電源が入っていないときにも電力が供給され、インクジェットプリンタ１の加速度が変化したことを検出することができる。また、加速度検出部が検出した加速度の変化に基づいて、インクジェットプリンタ１が移動したか否かを判定する移動判定部を備えているので、画像形成部は、移動判定部によって、インクジェットプリンタ１が移動したと判定されたときは、記録媒体としての用紙Ｓに、印刷データに基づく文字や画像を形成しない。従って、インクジェットプリンタ１が移動されて設置場所が変更になったとき、インクジェットプリンタ１が移動されて設置場所が変更になったことを検出して、印刷データに基づく文字や画像を用紙Ｓに形成しないようにすることが可能となる。
【００４１】
移動判定部は、加速度センサが検知した加速度について、所定の加速度以上である時間が、所定の時間を超えたときにインクジェットプリンタ１が移動したと判定する。
この構成によれば、インクジェットプリンタ１が移動されたことを検知することができる。
【００４２】
インクジェットプリンタ１を識別する識別子としてのＩＰアドレスを記憶する識別子記憶部を備え、識別子が特定されたことによって、印刷データを受信する。
この構成によれば、ネットワークＡに接続されたインクジェットプリンタ１が移動されて、設置場所が変更されたとき、ＩＰアドレスによって特定されたインクジェットプリンタ１によって、意図しない設置場所で、文字や画像が形成されることを防止できる。
【００４３】
＜第２実施例＞
第２実施例では、検出された加速度において、所定の加速度以上であった時間が、所定の時間を超えた場合を１回として計数し、計数された回数が所定の回数を超えたときに、インクジェットプリンタ１が移動されたと判定する場合について説明する。例えば、所定の加速度が０．５Ｇ、所定の時間が１０秒、所定の回数を３回として設定し、０．５Ｇ以上の加速度が１０秒以上継続したときを１回として計数し、計数された合計が３回を超えたときは、インクジェットプリンタ１が移動されたと判定する。
【００４４】
図７は、第２実施例におけるインクジェットプリンタ１が移動されたか否かを判定する処理のフローチャートである。図７のフローチャートは、第１実施例の図４のフローチャートに、ステップＳ４３を追加したものである。ステップＳ４０からステップＳ４２までの処理は、図４のフローチャートを用いて説明した処理内容と同じである。
【００４５】
ステップＳ４３では、加速度センサによって検出された加速度において、所定の加速度以上であった時間が、所定の時間を超えた場合を１回として計数し、計数された回数が所定の回数を超えたか否かを判定する。計数された回数が所定の回数を超えたときは（Ｙｅｓ）、インクジェットプリンタ１が移動されたと判定し、ステップＳ４７に進み、計数された回数が所定の回数を超えなかったときは（Ｎｏ）、インクジェットプリンタ１が移動されなかったと判定し、ステップＳ４０に戻る。
【００４６】
以上説明したように、第２実施例のインクジェットプリンタ１は、移動判定部は、一定時間を超える加速度検知が所定の回数を超えたときに、インクジェットプリンタ１が移動したと判定する。例えば、インクジェットプリンタ１を使用者が手で持ったり、台車に載せたりして、歩きながら移動させるときの加速度の変化を判定できるので、インクジェットプリンタ１が移動されたことを検出できる。
このようにすれば、インクジェットプリンタ１が移動されたことを検知する検出精度が向上する。
【００４７】
＜第３実施例＞
第３実施例では、インクジェットプリンタ１が移動されたと判定されたとき、表示部にインクジェットプリンタ１が移動されたことを表示する場合について説明する。第３実施例のインクジェットプリンタ１には、液晶パネルによる表示部が備えられ、文字情報を出力することができる。
【００４８】
図８は、第３実施例におけるインクジェットプリンタ１が移動されたと判定されたとき、表示部にインクジェットプリンタ１が移動されたことを表示する処理方法のフローチャートである。第１実施例の図５のフローチャートにステップＳ５４を追加したものである。ステップＳ５０からステップＳ５３までの処理は、図５のフローチャートを用いて説明した処理内容と同じである。
【００４９】
ステップＳ５４では、液晶パネルに、インクジェットプリンタ１が移動されたことをメッセージとして表示し、処理を終了する。
【００５０】
以上説明したように、第３実施例のインクジェットプリンタ１は、メッセージを出力する表示部としての液晶パネルを備え、移動判定部によって、インクジェットプリンタ１が移動したと判定されたときは、インクジェットプリンタ１は、液晶パネルにメッセージの出力指示を行い、インクジェットプリンタ１が移動されたことを表示させる。
この構成によれば、インクジェットプリンタ１が移動したことを使用者に通知することができる。
【００５１】
＜第４実施例＞
第４実施例では、インクジェットプリンタ１に、サブＣＰＵを備えた場合について説明する。図９は、第４実施例におけるインクジェットプリンタ１の電気的な構成を示すブロック図である。
【００５２】
本実施例のインクジェットプリンタ１は、制御部２７を構成するメインＣＰＵ（不図示）とは別に、サブＣＰＵ３６を備える。サブＣＰＵ３６は、ＲＡＭ２０、ＲＯＭ２１、フラッシュメモリ２２、発振回路２３とともに、蓄電部３４としてのバッテリー回路によって電力が供給される。
【００５３】
サブＣＰＵ３６は、加速度検出部３５としての加速度センサからの出力値と、フラッシュメモリ２２に格納するパラメータと、発振回路２３からの発振数とを用いて、ＲＯＭ２１からＲＡＭ２０に読み出したプログラムを実行する。サブＣＰＵ３６は、駆動信号発生回路２６を制御しないので、ＣＰＵの消費電力は、メインＣＰＵの消費電力より少なくすることができる。
【００５４】
以上説明したように、第４実施例のインクジェットプリンタ１は、加速度センサに、更に、サブＣＰＵ３６を備える。
この構成によれば、メインＣＰＵに電力を供給せずに、サブＣＰＵ３６に電力を供給することができる。その結果、メインＣＰＵが使用する電力消費量を抑制できる。
【００５５】
第１実施例から第４実施例で説明した印刷装置は、インクジェットプリンタを用いて説明したが、インクリボンを細いピンで打ち付けるドットインパクト方式や、テープに塗布されたリボンを熱で溶融する熱転写方式などによるプリンタであってもよい。
【００５６】
また、主操作と副操作を行うシリアルプリンタを用いて説明したが、１ページ単位で画像を形成するページプリンタや、記録媒体の搬送方向と垂直方向にヘッドを配置するラインプリンタなどでもよい。
【００５７】
また、加速度検出器として圧電素子を用いた加速度センサを用いて説明したが、静電容量の変化から加速度を検出する加速度センサであってもよい。
【００５８】
また、プラグを交流電源に接続されたコンセントに挿入することによって主電源の電力を得ていたが、主電源がバッテリーであってもよい。
【図面の簡単な説明】
【００５９】
【図１】インクジェットプリンタの外観斜視図。
【図２】ネットワークに接続されたコンピュータとインクジェットプリンタを示す図。
【図３】インクジェットプリンタの電気的な構成を示すブロック図。
【図４】本実施例におけるインクジェットプリンタが移動したことを検出する処理のフローチャート。
【図５】移動フラグの設定状態によって、画像形成部が、画像を形成するか否かを制御する処理のフローチャート。
【図６】移動フラグをＯＦＦにして初期化する処理のフローチャート。
【図７】第２実施例におけるインクジェットプリンタが移動されたか否かを判定する処理のフローチャート。
【図８】第３実施例におけるインクジェットプリンタの表示部にインクジェットプリンタが移動されたことを表示する処理方法のフローチャート。
【図９】第４実施例におけるインクジェットプリンタの電気的な構成を示すブロック図。
【符号の説明】
【００６０】
１…インクジェットプリンタ、２０…ＲＡＭ、２１…ＲＯＭ、２２…フラッシュメモリ、２３…発振回路、２４…プリンタコントローラ、２６…駆動信号発生回路、２７…制御部、３０…ヘッド、３１…プリントエンジン、３４…蓄電部、３５…加速度検出部、３６…サブＣＰＵ。
【図１】
2009131984.tif 000003
【図２】
2009131984.tif 000004
【図３】
2009131984.tif 000005
【図４】
2009131984.tif 000006
【図５】
2009131984.tif 000007
【図６】
2009131984.tif 000008
【図７】
2009131984.tif 000009
【図８】
2009131984.tif 000010
【図９】
2009131984.tif 000011